(57)【要約】【課題】照明具の発光によって釣り場を不必要に明るくするといった不具合を生じさせることなく、暗闇の中で釣り糸を適切に視認し得る釣り糸、これに対応する照明具を提供する。【解決手段】釣り糸は、紫外線励起によって蛍光を生じる紫外線蛍光物質が表面部にコーティングされ、または内部に含有された構成とされている。照明具は、可視光を発する可視光発光手段と、紫外線を発する紫外線発光手段とを備え、かつこれら可視光発光手段と紫外線発光手段との発光駆動が切り替え可能とされている。【選択図】  図１
2008228714.tif 000002
【特許請求の範囲】
【請求項１】
紫外線励起によって蛍光を生じる紫外線蛍光物質が表面部にコーティングされ、または内部に含有されていることを特徴とする、釣り糸。
【請求項２】
前記紫外線蛍光物質として、非励起時には透明であり、かつ励起時にはオレンジ色系に蛍光するものが用いられている、請求項１に記載の釣り糸。
【請求項３】
可視光発光手段と、紫外線発光手段とを備えており、かつこれら可視光発光手段と紫外線発光手段との発光駆動が切り替え可能とされていることを特徴とする、照明具。
【請求項４】
請求項１または２に記載の釣り糸と、この釣り糸に照射するための紫外線を発することが可能な紫外線発光手段を有する照明具と、を備えていることを特徴とする、釣り糸と照明具との組み合わせセット。
【請求項５】
前記照明具は、使用者の頭部に装着して使用されるヘッドランプ、懐中電灯、ペンライト、釣り糸の途中に取り付けられる発光型の浮き、または釣り竿に装着されることによって釣り糸に紫外線を照射するものとして構成されている、請求項４に記載の釣り糸と照明具との組み合わせセット。
【発明の詳細な説明】
【技術分野】
【０００１】
本発明は、魚釣りに用いられる釣り糸、照明具、およびこれらの組み合わせセットに関する。
【背景技術】
【０００２】
従来の釣り糸の一例としては、蓄光性蛍光体の樹脂層を有するものがある（たとえば、特許文献１を参照）。このような構成の釣り糸によれば、前記樹脂層に光を照射し、蓄光させておくことにより、この光の照射を中止した後にも前記樹脂層を適当な時間だけ蛍光させることができる。したがって、夜釣りを行なう場合に、釣り糸を視認し得ることとなる。
【０００３】
しかしながら、前記従来技術においては、次に述べるような不具合がある。
【０００４】
すなわち、釣りを行なっている際に、蓄光性蛍光体の樹脂層の蛍光が弱くなり、または生じなくなった場合には、この樹脂層に光を再度照射し、蓄光を行なう必要がある。ところが、このような蓄光を短時間で行なわせることは難しい。とくに、釣り竿に釣り糸が付けられて、現に釣りが行なわれている場合には、この状態を保ちつつ、釣り竿の先に垂れている釣り糸に光を効率良く照射して蓄光を行なわせることはより難しい。また、蓄光手段として、可視光を発する照明具を用いて釣り糸に光を照射させたのでは、釣り糸の周辺の広い領域が不必要に明るくなり、周りの釣り人に迷惑をかける不具合も生じる。
【０００５】
【特許文献１】特開２００６−１３６３１５号公報
【発明の開示】
【発明が解決しようとする課題】
【０００６】
本発明は、このような事情のもとで考え出されたものであって、照明具の発光によって釣り場を不必要に明るくするといった不具合を生じさせることなく、暗闇の中で釣り糸を適切に視認し得る釣り糸、これに対応する照明具、およびこれらの組み合わせセットを提供することを、その課題としている。
【課題を解決するための手段】
【０００７】
上記の課題を解決するため、本発明では、次の技術的手段を講じている。
【０００８】
本発明の第１の側面により提供される釣り糸は、紫外線励起によって蛍光を生じる紫外線蛍光物質が表面部にコーティングされ、または内部に含有されていることを特徴としている。
【０００９】
このような構成によれば、暗闇の中で釣り糸を光らせるための手段として、蓄光を行なう必要はなく、紫外線を照射すればよいこととなる。紫外線は不可視光線であるために、釣り糸に対して紫外線を照射しても、このことによってその周辺領域を無用に明るくすることはなく、周りの釣り人などに迷惑をかけないようにすることができる。
【００１０】
本発明の好ましい実施の形態においては、前記紫外線蛍光物質として、非励起時には透明であり、かつ励起時にはオレンジ色系に蛍光するものが用いられている。
【００１１】
このような構成によれば、紫外線蛍光物質は非励起時には透明であるために、釣り糸の透明性を損なわないようにし、また仮に釣り糸が着色されている場合にはその色彩を損なわないようにすることができる。一方、紫外線蛍光物質の励起時に発生するオレンジ色系の光は、波長が長く、暗闇において釣り糸の視認性を良くするのにより好適となる。
【００１２】
本発明の第２の側面により提供される照明具は、可視光発光手段と、紫外線発光手段とを備えており、かつこれら可視光発光手段と紫外線発光手段との発光駆動が切り替え可能とされていることを特徴としている。
【００１３】
このような構成によれば、紫外線発光手段を発光駆動させることにより、本発明の前記した釣り糸に紫外線照射を行なうことが可能である。また、可視光発光手段を発光駆動させた場合には、通常の照明具と同様な使用が可能となる。したがって、前記した釣り糸と組み合わされて使用される照明具として好ましいものとなる。
【００１４】
本発明の第３の側面により提供される釣り糸と照明具との組み合わせセットは、本発明の第１の側面により提供される釣り糸と、この釣り糸に照射するための紫外線を発することが可能な紫外線発光手段を有する照明具と、を備えていることを特徴としている。好ましくは、前記照明具は、使用者の頭部に装着して使用されるヘッドランプ、懐中電灯、ペンライト、釣り糸の途中に取り付けられる発光型の浮き、または釣り竿に装着されることによって釣り糸に紫外線を照射するものとして構成されている。
【００１５】
このような構成によれば、釣り糸への好適な紫外線照射が可能となる。
【００１６】
本発明のその他の特徴および利点は、添付図面を参照して以下に行なう発明の実施の形態の説明から、より明らかになるであろう。
【発明を実施するための最良の形態】
【００１７】
以下、本発明の好ましい実施の形態を、図面を参照して具体的に説明する。
【００１８】
図１および図２は、本発明が適用された釣り糸の一例を示しており、図１は、長尺状の釣り糸１の大部分が巻取具２に巻き取られている状態である。この釣り糸１は、釣り糸本体部１０の全長域の表面部に、紫外線蛍光層１１がコーティグして設けられた構成とされている。図２に示すように、紫外線蛍光層１１は、釣り糸本体部１０の全周囲を覆うように設けられている。
【００１９】
釣り糸本体１０は、従来一般の釣り糸（テグス糸）に相当する部分であり、たとえば透明なナイロン製である。紫外線蛍光層１１は、紫外線照射により励起される紫外線蛍光色素がベースとなる透明な樹脂内に分散混入された部分である。紫外線蛍光色素としては、従来既知の種々のものを用いることが可能であり、たとえば特開２００３−８１９８６号公報に記載されている希土類錯体を好適に用いることができる。同公報に記載されている希土類錯体としては、赤、青、緑のそれぞれの色彩を発光可能なものがあり、これらを所定の比率で配合させることにより蛍光色を所望の色彩に調整することができる。本実施形態においては、紫外線蛍光層１１は、非蛍光時には透明であるのに対し、蛍光時にはオレンジ色の光を発するようにされている。なお、紫外線蛍光層１１の形成は、ナイロン糸に染色を行なう手法と同様な手法を用いてなされている。
【００２０】
図３は、本発明が適用された照明具の一例を示している。同図に示す照明具３Ａは、使用者の頭部に装着して使用されるヘッドランプとして形成されている。この照明具３Ａのランプ本体部３０は、１または複数の白色ＬＥＤランプ３１ａ、１または複数の紫外線ＬＥＤランプ３１ｂ、およびこれらから後方に進行した光を前方に反射して投光性能を高めるためのリフレクタ（図示略）を備えている。ランプ本体部３０は、装着用ベルト３３が連結されたベース部３２に支持され、上下方向などに角度調整可能である。ベース部３２には、白色ＬＥＤランプ３１ａや紫外線ＬＥＤランプ３１ｂの点灯駆動用のバッテリや、切替スイッチ（いずれも図示略）が設けられている。この切替スイッチは、たとえば３段階の切替え操作が可能であり、白色ＬＥＤランプ３１ａのみをオンとする第１の状態、紫外線ＬＥＤランプ３１ｂのみをオンとする第２の状態、およびそれらの全てをオフとする第３の状態に切替え設定可能である。
【００２１】
前記した釣り糸１と照明具３Ａとを組み合わせて用いた場合には、次のような効果が得られる。すなわち、夜釣りを行なう場合、照明具３Ａの紫外線ＬＥＤランプ３１ｂを発光駆動させ、釣り糸１に紫外線を照射させると、この釣り糸１の紫外線蛍光層１１が蛍光する。したがって、釣り糸１が光って見えることとなり、釣り人は、釣り糸１の位置を的確に確認することができる。紫外線蛍光層１１の蛍光色は、波長の長い単色光としてのオレンジ色であるために、暗闇における釣り糸１の視認性をより良好にすることが可能である。また、紫外線は、不可視光線であり、釣り糸１が垂れている部分やその周辺部、あるいはそれ以外の箇所に照射されたとしても、それらの領域を明るく照明しない。したがって、他の釣り人などに迷惑がかからないようにする利点も得られる。照明具３Ａは、紫外線ＬＥＤランプ３１ｂに代えて、白色ＬＥＤランプ３１ａを適宜に発光駆動させることができるために、釣り場への行き帰り時や、釣り具の準備などを行なう場合には、通常の照明具としても好適に使用し得る。一方、釣り糸１が昼間に使用される場合もあるが、釣り糸１の紫外線蛍光層１１は、非励起時には透明であり、釣り糸１の全体の透明性が確保されているために、魚釣りに際してとくに不具合を生じることもない。
【００２２】
図４および図５は、本発明の他の実施形態を示している。
【００２３】
図４に示す実施形態においては、本発明の照明具が、釣り糸１に取り付けられて使用される発光型の浮き３Ｂとして構成されている。この浮き３Ｂは、たとえばリチウム電池などのバッテリ３４と白色などの可視光のＬＥＤランプ３５ａを内蔵している本体ボディ３６内に、紫外線ＬＥＤランプ３５ｂが追加して設けられた構成を有している。また、好ましくは、本体ボディ３６には、紫外線ランプ３５ｂのオン・オフを切り替え可能とする切替スイッチ３７が設けられている。紫外線ＬＥＤランプ３５ｂは、この浮き３Ｂが使用される際に水上に位置するように本体ボディ３６の上部寄りに設けられている。また、本体ボディ３６のうち、少なくとも紫外線ＬＥＤランプ３１ｂが設けられている周辺部分は、紫外線を透過可能な材質とされている。
【００２４】
このような発光型の浮き３Ｂを用いれば、この浮き３Ｂを利用して釣り糸１に紫外線照射を行なわせ、釣り糸１を発光させることができる。釣り糸１に紫外線を照射する作業を釣り人自身が積極的に行なう必要が無くなり、または少なくなるため、便利である。
【００２５】
図５に示す実施形態においては、照明具３Ｃが釣り竿４に装着されている。より具体的には、照明具３Ｃとしては、たとえば紫外線ＬＥＤチップが缶シールされた構成とされており、その全体サイズは非常に小さく、また軽量のものとされている。この照明具３Ｃは、たとえば釣り竿４の先端部またはその近傍に装着されており、釣り糸１のうち、釣り竿４の先端部から下方に延びる部分に対して紫外線を効率良く照射できるように設定されている。
【００２６】
このような照明具３Ｃを用いた場合であっても、前記実施形態と同様に、釣り糸１に紫外線を照射する作業を釣り人自身が積極的に行なう必要が無くなり、または少なくなり、便利である。もちろん、照明具３Ｃは、釣り竿４の先端部またはその近傍に設けられることに代えて、または加えて、釣り竿４の長手方向中間領域や、釣り人の手元に近い基端部寄り領域などに設けた構成とすることができる。
【００２７】
本発明は、上述した実施形態の内容に限定されない。本発明に係る釣り糸、照明具、およびこれらの組み合わせセットのそれぞれの具体的な構成は、種々に設計変更自在である。
【００２８】
紫外線蛍光物質は、釣り糸の表面部の全面にコーティングされていることが好ましいものの、これに限定されない。たとえば、釣り糸の長手方向において、紫外線蛍光物質がコーティングされている部分とそうでない部分とが適当なピッチで交互に設けられていてもよい。また、釣り糸の全周囲に紫外線蛍光物質がコーティングされている構成（図２に示した構成）に代えて、釣り糸の全周囲のうちの一部の領域のみに紫外線蛍光物質がコーティングされた構成することもできる。さらに、本発明においては、釣り糸の内部に紫外線蛍光物質を含有させた構成とすることもできる。釣り糸の具体的な材質、太さ、長さなども、むろん限定されるものではない。紫外線蛍光物質の蛍光色は、オレンジ色系以外の色彩（白色も含む）とすることもできる。
【００２９】
本発明に係る照明具としては、上述した実施形態以外として、たとえば懐中電灯やペンライトなどの携帯に適するものとして構成することもできる。もちろん、地面などの適所に載置して使用するタイプの照明具として構成することも可能である。また、本発明に係る釣り糸と照明具との組み合わせとしては、照明具が必ずしも１つである必要はなく、たとえば上述の実施形態を例にとると、図３の照明具３Ａ、図４の発光型の浮き３Ｂ、および図５の照明具３Ｃの全てを組み合わせた構成、あるいはそれらのうちの２つを組み合わせた構成とすることもできる。
【図面の簡単な説明】
【００３０】
【図１】本発明に係る釣り糸の一例を示す説明図である。
【図２】図１のII−II拡大断面図である。
【図３】本発明に係る照明具の一例を示す概略斜視図である。
【図４】本発明に係る照明具の他の例を示す概略説明図である。
【図５】本発明に係る照明具の他の例を示す概略説明図である。
【符号の説明】
【００３１】
１          釣り糸
３Ａ〜３Ｓ  照明具
１０      釣り糸本体
１１      紫外線蛍光層
３１ａ    白色ＬＥＤランプ（可視光発光手段）
３１ｂ    紫外線ＬＥＤランプ（紫外線発光手段）
【図１】
2008228714.tif 000003
【図２】
2008228714.tif 000004
【図３】
2008228714.tif 000005
【図４】
2008228714.tif 000006
【図５】
2008228714.tif 000007